(57)【要約】【課題】ＭＵ−ＭＩＭＯ通信システムなどの通信システムのための周波数オフセットおよびチャネル応答の同時推定のための方法および装置を提供すること。【解決手段】複数の周波数資源に関して周波数オフセットおよびチャネル応答を推定するための反復方法が提供される。周波数資源のうちの所与の１つを共用するユーザのセットに関してチャネル応答が推定される。さらに、セット内のユーザに関して周波数オフセットが推定され、セット内にないユーザのチャネル応答および周波数オフセットは、それらの最新の更新値で維持される。最初は、ユーザのチャネル応答は、理想チャネル応答でよく、周波数オフセットは、ほぼゼロでよい。【選択図】図３
2010279037.tif 000002
【特許請求の範囲】
【請求項１】
複数の周波数資源に関して周波数オフセットおよびチャネル応答を推定するための反復方法であって、
前記周波数資源のうちの所与の１つを共用するユーザのセットに関して前記チャネル応答を推定し、
前記セット内の前記ユーザに関して前記周波数オフセットを推定することとを含み、前記セット内にないユーザの前記チャネル応答および周波数オフセットは、それらの最新の更新値で維持される、方法。
【請求項２】
ユーザの前記チャネル応答は、最初は理想チャネル応答である、請求項１に記載の方法。
【請求項３】
ユーザの前記周波数オフセットは、最初はほぼゼロである、請求項１に記載の方法。
【請求項４】
前記周波数資源はＭＵ−ＭＩＭＯ通信システムによって提供される、請求項１に記載の方法。
【請求項５】
前記反復は、予め定義された閾値が満たされたときと、予め定義された数の反復に到達したときの１つまたは複数のときとに停止する、請求項１に記載の方法。
【請求項６】
前記周波数オフセットは第１のアンテナに関して決められ、前記決められた周波数オフセットは少なくとも１つの別のアンテナに関して使用される、請求項１に記載の方法。
【請求項７】
前記チャネル応答を推定する前記ステップおよび前記周波数オフセットを推定する前記ステップは事実上同時に実行される、請求項１に記載の方法。
【請求項８】
前記周波数領域において空間交互射影期待値最大化（ＳＡＧＥ）アルゴリズムを利用する、請求項１に記載の方法。
【請求項９】
複数の周波数資源に関して周波数オフセットおよびチャネル応答を推定するためのシステムであって、
メモリと、
前記メモリに接続された少なくとも１つのプロセッサとを含み、前記プロセッサは、
前記周波数資源のうちの所与の１つを共用するユーザのセットに関して前記チャネル応答を推定し、
前記セット内の前記ユーザに関して前記周波数オフセットを推定する、ように動作し、前記セット内にないユーザの前記チャネル応答および周波数オフセットは、それらの最新の更新値で維持される、システム。
【請求項１０】
前記チャネル応答および前記周波数オフセットの前記推定は、事実上同時に行われる、請求項９に記載のシステム。
【発明の詳細な説明】
【技術分野】
【０００１】
本発明は、周波数オフセットおよびチャネル応答推定に関し、より具体的には、ロング・ターム・エボリューション通信システムなど、一般化搬送波割当方式（ＣＡＳ）を用いたマルチユーザ多入力多出力（ＭＵ−ＭＩＭＯ）通信環境に関する。
【背景技術】
【０００２】
直交周波数分割多元接続（ＯＦＤＭＡ）方式は、複数のブロードバンドアクセス技術の重要な部分である。ロング・ターム・エボリューション、すなわち第４世代移動体通信のための規格は、アップリンクにおけるシングルキャリア周波数分割多元接続（ＳＣ−ＦＤＭＡ）、すなわちＯＦＤＭＡシステムのものと同様の性能および本質的に同じ全体構造を有するが、よりよいピーク対振幅パワー比を有する新規のシングルキャリア多元接続方式を利用する。ＭＵ−ＭＩＭＯ方式と組み合わされた場合、ＳＣ−ＦＤＭＡは、非常に高いデータ伝送速度と非常に良好なスペクトル効率を実現し、複雑さを抑えることができる。
【０００３】
ＯＦＤＭＡはチャネル推定および等化作業を容易にするが、時間および周波数同期の厳しい必要条件が重要な問題になる。時間同期は、サイクリック・プレフィックス（ＣＰ）の挿入によって非常に簡略化されうる。送信機と受信機との間の周波数オフセットは、副搬送波間の直交性を破壊し、その結果、その性能を顕著に劣化させる可能性があり簡単な解決策がない搬送波間干渉（ＩＣＩ）を引き起こす。
【０００４】
アップリンクにおける周波数オフセットの推定および補正のためのいくつかの方式が提案され示唆されてきた。例えば、Ｍｉｃｈｅｌｅ  Ｍｏｒｅｌｌｉら、「Ｓｙｎｃｈｒｏｎｉｚａｔｉｏｎ  Ｔｅｃｈｎｉｑｕｅｓ  ｆｏｒ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ  （ＯＦＤＭＡ）：  Ａ  Ｔｕｔｏｒｉａｌ  Ｒｅｖｉｅｗ」、Ｐｒｏｃ．  ｏｆ  ＩＥＥＥ、Ｖｏｌ．  ９５、Ｎｏ．  ７（２００７年７月）は、時間領域空間交互射影期待値最大化（ＴＤ−ＳＡＧＥ）に基づく反復アルゴリズムについて記述している。開示された時間領域手法は、効果的ではあるが、それぞれ異なるユーザの周波数分離、または、たいていのチャネル推定法は周波数領域において実施されるという事実を利用していない。
【０００５】
アップリンクにおける周波数オフセットを推定し補正する作業をかなり複雑にする２つの曲面がある。第１に、搬送波割当方式（ＣＡＳ）は、利用可能な副搬送波を各ユーザに影響を与えるそれぞれ異なるチャネル条件に基づいてそれぞれ異なるユーザに自由に分配するための柔軟性が「マルチユーザ・ダイバーシチ」の形態を提供するので、チャネルの容量を最大化する際に重要な役割を務める。一般化ＣＡＳは、最大ダイバーシチ利得を提供するが周波数オフセット推定を複雑にもするほとんど制約のない搬送波割当手順を可能にする。さらに、アップリンクにおいては、基地局にアクセスする各モバイル・ユーザは、それぞれ異なる量の周波数オフセットの影響を受けることになる。
【０００６】
したがって、ＭＵ−ＭＩＭＯ  ＯＦＤＭＡ通信システムのための周波数オフセットおよびチャネル応答の同時推定のための方法および装置の必要が存在する。
【先行技術文献】
【非特許文献】
【０００７】
【非特許文献１】Ｍｉｃｈｅｌｅ  Ｍｏｒｅｌｌｉ外、「Ｓｙｎｃｈｒｏｎｉｚａｔｉｏｎ  Ｔｅｃｈｎｉｑｕｅｓ  ｆｏｒ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ  （ＯＦＤＭＡ）：  Ａ  Ｔｕｔｏｒｉａｌ  Ｒｅｖｉｅｗ」（Ｐｒｏｃ．ｏｆ  ＩＥＥＥ、Ｖｏｌ．９５、Ｎｏ．７（２００７年７月）
【発明の概要】
【０００８】
一般に、ＭＵ−ＭＩＭＯ通信システムなどの通信システムのための周波数オフセットおよびチャネル応答の同時推定のための方法および装置が提供される。本発明の一態様によれば、複数の周波数資源に関して周波数オフセットおよびチャネル応答を推定するための反復方法が提供される。周波数資源のうちの所与の１つを共用するユーザのセットに関してチャネル応答が推定される。さらに、セット内のユーザに関して周波数オフセットが推定され、セット内にないユーザのチャネル応答および周波数オフセットは、それらの最新の更新値で維持される。最初は、ユーザのチャネル応答は、理想チャネル応答でよく、周波数オフセットは、ほぼゼロでよい。
【０００９】
反復は、予め定義された閾値が満たされたときに、または予め定義された数の反復に到達したときに、任意選択で停止することができる。周波数オフセットは、第１のアンテナに関して任意選択で決められ、次いで、決められた周波数オフセットは、少なくとも１つの別のアンテナに関して使用される。チャネル応答を推定するステップおよび周波数オフセットを推定するステップは、同時に任意選択で実行される。一例示的実施形態では、開示された方法は、周波数領域において空間交互射影期待値最大化（ＳＡＧＥ）アルゴリズムを利用する。
【００１０】
本発明、ならびに本発明のさらなる特徴および利点のより完全な理解は、以下の詳細な説明および図面を参照することにより得られるであろう。
【図面の簡単な説明】
【００１１】
【図１】本発明が動作することができる例示的通信環境を例示する図である。
【図２】例示的一般化搬送波割当方式を例示する図である。
【図３】本発明の特徴を組み込んだ周波数オフセットおよびチャネル応答推定プロセスの例示的実施形態を説明する流れ図である。
【図４】ｆ（γ，εｍ，ｆ）、周波数誤差指数関数のＦＦＴを例示するグラフである。
【図５】キャンセルされた成分の数の関数として、この結果によって課される信号対雑音比（ＳＮＲ）リミットを例示するグラフである。
【発明を実施するための形態】
【００１２】
本発明は、周波数領域における空間交互射影期待値最大化（ＳＡＧＥ）アルゴリズムによる一般化周波数割当方式を用いた例示的ＭＵ−ＭＩＭＯ  ＯＦＤＭＡアップリンクのための周波数オフセットおよびチャネル応答の同時推定のための方法および装置を提供する。本発明は、周波数オフセット補正方式はチャネル応答の知識を必要とし、逆の場合も同じであることを認識している。したがって、周波数オフセットおよびチャネル応答両方の同時推定のための効率のよい方法が提供される。チャネルおよび周波数推定値は、アップリンク・フレーム内の各ユーザによって周期的に送信されるトレーニング・ブロックを使用して得られる。
【００１３】
図３に関連して以下でさらに論じられるように、例示的アルゴリズムは、反復およびサイクルから成る。反復は、いくつかのサイクルを備える。各サイクルでは、同じ周波数資源（ＭＵ−ＭＩＭＯ）を共用するユーザのセットに関してチャネル応答が推定（および更新）され、その他のユーザのチャネルおよび周波数オフセットをそれらの最新の更新値で保持する。次いで、その他のすべてのユーザに関してチャネルおよび周波数オフセットの最新の推定値を仮定して、セット内のこれらのユーザのそれぞれに関して周波数オフセットが推定される。第１の反復では、アルゴリズムは、前に算出された推定値を、古いユーザに関しては開始点、新しいユーザに関しては理想チャネル応答とみなし、周波数誤差はないとみなす。反復は、プログラムされた更新数に到達したときに停止する。一般に、周波数誤差は、ＭＵ−ＭＩＭＯの場合、１つの受信アンテナに関してのみ推定されてよく、次いで、その推定値は、その他のアクティブ・アンテナに関して使用されてよい。
【００１４】
図１は、本発明が動作することができる例示的通信環境１００を例示する。図１に示されているように、例示的通信環境１００は、一般化周波数割当方式を用いたＭＵ−ＭＩＭＯ  ＯＦＤＭＡアップリンクである。他の変形形態では、本発明は、当業者には明らかであろうように、ＳＣ−ＦＤＭＡシステム、ならびにシングルユーザ（ＳＵ）ＭＩＭＯなどの他のＭＩＭＯ方式おいて適用されうる。例示的通信環境１００は、基地局１１０および複数のユーザ機器（ＵＥ）デバイス１２０−１から１２０−ＮＵＥまでを備える。基地局１１０は、複数の受信アンテナ１３０−１から１３０−ＮＲＸまでを有する。以下の数学的記述では、アンテナの数はまた、Ａと表されることが留意される。一般に、図１に示されているように、各ＵＥ１２０は、対応する周波数割当（ＣＡ）、周波数誤差、εを使用して、およびアンテナの送信機／受信機ペアごとに異なる特定のチャネル応答、Ｈによって送信する。
【００１５】
図２は、例示的一般化周波数割当方式２００を例示する。図２の例示的方式２００では、１０のユーザ（それぞれ異なる塗りつぶしパターンを有する）は、４つの空間次元、Ｍ１からＭ４まで、および１０の周波数帯域、Ｆ１からＦ１０までを共用する。したがって、図２に示されているように、複数のユーザは、同じ周波数チャネルを共用することができる。周波数誤差、εは、ユーザごとに異なってよい。さらに、図２に示されているように、複数の周波数帯域が所与のユーザに割り当てられた場合、それらは連続していなくてよい。
【００１６】
仮定
示されている実際の値は、単にＬＴＥのための典型的な構成を例示するものであることが留意される。Ｆの割り当てられた周波数帯域があり、ｆ＝０、・・・、Ｆ−１。
周波数帯域ごとにＭｆのユーザがあり、０≦ｍ≦Ｍｆ−１。周波数帯域割当ごとに最大４つのユーザがあってよく、Ｍｆ≦４。
Ｓｍｆ（ｎ）は、ユーザｍおよび帯域ｆの副搬送波である。それぞれ異なる割り当てられた周波数帯域は、重なり合っていてはならない。
高速フーリエ変換（ＦＦＴ）サイズ、Ｎ、ここで、Ｎは、通常、１０２４に等しい。
Ａの受信アンテナがあり、α＝０．．Ａ−１。
【００１７】
方程式
受信アンテナαにおける信号は、
【数１】
2010279037.tif 000003
によって与えられ、式中、εｍ、ｆは、副搬送波間隔に対して正規化された帯域ｆのユーザｍに関する周波数誤差であり、Ｌは、すべてのユーザにわたる最大チャネル長であり、ｓｍ，ｆは、Ｓｍ，ｆのＩＦＦＴである。
【００１８】
周波数領域においては、サイクリック・プレフィックス抽出およびＦＦＴの後に、副搬送波ｎごとに、
【数２】
2010279037.tif 000004
式中、
【数３】
2010279037.tif 000005
は、周波数誤差指数関数
【数４】
2010279037.tif 000006
のＦＦＴであり、（・）ＮはモジュロＮインデクシングを表す。
【００１９】
キャンセルされたＩＣＩ成分の数は、±ＮＩＣＩに限定されうる。帯域の両端に周波数ガード帯域があると仮定すると、通常、循環畳み込みを実行する必要がなく、サブインデックスＮは、以下のように落されうる。
【数５】
2010279037.tif 000007
【００２０】
図３は、本発明の特徴を組み込んだ周波数オフセットおよびチャネル応答推定プロセス３００の例示的実施形態を説明する流れ図である。一般に、周波数オフセットおよびチャネル応答推定プロセス３００は、すべてのユーザに関してεｍ，ｆおよびＨｍ，ｆを一緒に推定する。周波数オフセットおよびチャネル応答推定プロセス３００は、通常、図１の基地局１１０においてプロセッサによって実行される。
【００２１】
図３に示されているように、周波数オフセットおよびチャネル応答推定プロセス３００は、反復の数を追跡するためにカウンタ、ｊを利用し、割り当てられた周波数帯域を追跡するためにカウンタ、ｆを利用し、所与の周波数帯域内のユーザを追跡するためにカウンタ、ｍを利用する。
【００２２】
どのスロットにおいても、復調基準信号（ＤＭＲＳ）など、ステップ３１０中のトレーニング・ブロックの到着時に、
１．  アンテナα＝０に関して。以下のアルゴリズムのｊ＝０．．Ｊ−１の反復を行う。
ａ．  すべての割り当てられた周波数帯域ｆｉ＝０．．Ｆ−１に関して
ｉ．  周波数帯域のすべての副搬送波にわたってｎに関して計算する。
【数６】
2010279037.tif 000008
式中、
【数７】
2010279037.tif 000009
（以下、「ε＾ｍ、ｆ」と表記する。他の変数についても同じ）は、εｍ，ｆの最も新しく推定された値であり、Ｈ＾ｍ、ｆは、Ｈｍ，ｆの最も新しく推定された値である。第１の反復において、新しいユーザは、ステップ３１５中に、ε＾ｍ，ｆ＝０及びＨ＾ｍ，ｆ＝０を有することも留意される。ｎの値に関するＨ＾ｍ，ｆ（ｎ）＝０は割り当てられた周波数帯域外である。
ｉｉ．
【数８】
2010279037.tif 000010
を使用して、この帯域のすべてのＭＵ−ＭＩＭＯユーザ、
【数９】
2010279037.tif 000011
（ｍ＝０、・・・Ｍｆ−１）に関してステップ３２０中にチャネル応答を推定する。次いで、チャネル応答は、すべてのＭＵ−ＭＩＭＯユーザ、
【数１０】
2010279037.tif 000012
（ｍ＝０、・・・、Ｍｆ−１）に関してステップ３３０中に更新される。
ｉｉｉ  ｍｉ＝０．．．Ｍｆ−１に関して、この周波数帯域のすべての副搬送波、および隣接する帯域のどちらか一方上のＮＩＣＩ副搬送波にわたってｎに関して計算する。
【数１１】
2010279037.tif 000013
式中、ε＾ｍ．ｆは、εｍ，ｆの最も新しく推定された値であり、Ｈ＾ｍ，ｆは、Ｈｍ，ｆの最も新しく推定された値である。ステップ３４０中に、以下の式、
【数１２】
2010279037.tif 000014
を最大化するε＾ｍｉ，ｆｉの値を探索する。次いで、周波数オフセットは、すべてのユーザに関してステップ３５０中に更新される。アンテナα＝１．．Ａ−１に関して、アンテナα＝０からの周波数誤差推定値が使用され、チャネル応答が推定される。
【００２３】
図４は、ｆ（γ，εｍ，ｆ）、周波数誤差指数関数のＦＦＴを例示し、図５は、キャンセルされたｆ（γ，εｍ，ｆ）の成分の数の関数として、この結果によって課される信号対雑音比（ＳＮＲ）リミットを例示する。図４および図５に示されているように、通常、少数の寄与をキャンセルするだけで十分である。ＳＮＲリミットは、約２３．６ｄＢなので、例えば、各搬送波の各サイド上の１１の成分をキャンセルすれば十分でありうる。これは、同じブロック内の他の副搬送波からの、および隣接するブロック上の副搬送波の干渉だけが、キャンセルされる必要があろうことを意味する。
【００２４】
結論
本発明の例示的実施形態は、デジタル論理ブロックに関して説明されてきたが、当業者には明らかであろうように、様々な機能は、ソフトウェア・プログラムでの、回路要素またはステート・マシンによるハードウェアでの、あるいはソフトウェアおよびハードウェア両方の組合せでの処理ステップとしてデジタル領域において実行されてよい。そのようなソフトウェアは、例えば、デジタル信号プロセッサ、マイクロコントローラ、または汎用コンピュータにおいて利用されうる。そのようなハードウェアおよびソフトウェアは、集積回路の中に実装された回路の中で実施されてよい。
【００２５】
したがって、本発明の諸機能は、方法およびそれらの方法を実施するための装置の形態で実施されうる。本発明の１つまたは複数の態様は、例えば、記憶媒体に記憶されるか、機械にロードされ、かつ／またはそれによって実行されるか、あるいは何らかの伝送媒体を介して伝送されるプログラム・コードの形態で実施されてよく、プログラム・コードがコンピュータなどの機械にロードされ、それによって実行される場合、その機械は本発明を実施するための装置になる。汎用プロセッサ上で実行された場合、プログラム・コード・セグメントは、プロセッサと結合して特定の論理回路に類似した動作をするデバイスを提供する。
【００２６】
本明細書で示され説明された諸実施形態および変形形態は単に本発明の原理を例示するものであって、様々な変更形態が本発明の範囲および趣旨から逸脱することなく当業者によって実施されてよいことが理解されるべきである。
【図１】
2010279037.tif 000015
【図２】
2010279037.tif 000016
【図３】
2010279037.tif 000017
【図４】
2010279037.tif 000018
【図５】
2010279037.tif 000019